(57)【要約】      （修正有）【課題】実用性と安全性を失うことなく、水を入れて直立回転させて拡大動画を楽しむことができる飲料用コップを開発する。【解決手段】胴部は透明軸対称形、底外面は軸対称凸曲面からなり、水平卓上に点接触で安定なすわりをする飲料用コップ１であって、胴中央部外周には等間隔で複数の短冊状遮光面７を具え、胴下部外周には帯状遮光面８の内側に複数の絵を有し、各絵は隣接する絵から少しずつ異なり、対向する複数短冊状遮光面の隙間１０から視認できることを特徴とする。【選択図】図３
0003116185.tif 000002
【実用新案登録請求の範囲】
【請求項１】
胴部は透明軸対称形、底外面は軸対称凸曲面からなり、水平卓上に点接触で安定なすわりをする飲料用コップであって、胴中央部外周には等間隔で複数の短冊状遮光面を具え、胴下部外周には帯状遮光面の内側に複数の絵を有し、各絵は隣接する絵から少しずつ異なり、対向する短冊状遮光面間の隙間を通して視認できることを特徴とする飲料用コップ。
【請求項２】
胴部は透明軸対称形、底外面は軸対称凸曲面からなり、水平卓上に点接触で安定なすわりをする飲料用コップであって、胴部外周には等間隔で複数の短冊状遮光面を具え、各短冊遮光面の内側には独立した絵を有し、各絵は隣接する短冊遮光面の内側の絵から少しずつ異なり、対向する短冊状遮光面間の隙間を通して視認できることを特徴とする飲料用コップ。
【請求項３】
底外面は軸対称凸曲面からなるキャップを嵌合して構成される、請求項１または請求項２記載の飲料用コップ。
【考案の詳細な説明】
【技術分野】
【０００１】  本考案は飲料用コップに関し、特に、直立回転時に動画の楽しめる実用性の高い飲料用コップに関する。
【背景技術】
【０００２】  従来から底部の形状を丸くしてユラユラと揺れ、また自立回転できる飲料用コップがあるが、底外面の曲率半径が飲料用コップの高さ以下程度しかないことに起因する転倒、飲料のこぼれを防ぐため、口すぼみ形状であった。【０００３】  斜立回転する飲料用コップについては、下記特許文献１に開示されているが、安定なすわりは斜立時にあって、回転も斜立のままなされている。また、口すぼみ形状ではないが直立回転可能な飲料用コップについては、下記特許文献２に開示されているが、２つの飲料用コップを組み合わせるものである。
【特許文献１】  特開２００４−１８７９５７
【特許文献２】  実開平５−１３２７６
【０００４】  一方、縦方向にスリットを空けた円筒の内側に連続的に変化する絵を描き、円筒を回転させながらスリットを通して中を覗くと残像効果によって動画が観察されることは映画の起源とされ、今日では紙製の手作りおもちゃが知られるが、見える絵の大きさは原寸大であった。
【考案の開示】
【考案が解決しようとする課題】
【０００５】  本考案は、飲料用コップの実用性と安全性を失うことなく、水を入れたコップを卓上で直立回転させてコップ内に拡大された動画を見る楽しみを付加することを課題としてなされたものである。
【課題を解決するための手段】
【０００６】〔構成１〕
本考案は、胴部は透明軸対称形、底外面は軸対称凸曲面からなり、水平卓上に点接触で安定なすわりをする飲料用コップであって、胴中央部外周には等間隔で複数の短冊状遮光面を具え、胴下部外周には帯状遮光面の内側に複数の絵を有し、各絵は隣接する絵から少しずつ異なり、対向する複数短冊状遮光面間の隙間から視認できることを特徴とする飲料用コップである。【０００７】  軸対称であって任意形状の飲料用コップが、空であるときも任意量の水を入れたときも、水平卓上で直立した安定なすわりをさせるには、飲料用コップを少し傾けて、底凸曲面内での接触点を移動させた場合にその重心が直立時よりも上がればよい。【０００８】  この条件は、水平卓上の飲料用コップ接触点を底曲面外縁まで移動させたときにも安定なすわりをするのに十分な大きさの曲率半径を有する底凸曲面によって傾き角を制限することにより、また必要ならば水よりも密度の大きい材料からなる底肉を大きくして重心を下げることにより達成される。この形状の飲料用コップは、水平卓上で手の力によって、容易にコマのように直立回転させることができる。【０００９】  飲料用コップの胴中央部外周には等間隔で複数の短冊状遮光面を具える。短冊状遮光面の目的はコップの外部から内部の絵に向かう視線を短冊間の隙間に限定することにあるから、遮光面の形成はスクリーン印刷や転写で製膜する方法、紙やプラスチックのラベルを貼る方法、または透明体表面に凹凸を設けて乱反射させる方法などから選択できる。【００１０】  飲料用コップの胴下部外周には帯状遮光面を具え、その遮光面内側には複数の絵を有する。これらの絵は飲料用コップを直立回転させたときに動画の要素を形成する。帯状遮光面の目的は、絵の背景色として機能して絵を視認し易くさせることにあり、遮光面と複数の絵の形成は、スクリーン印刷や転写で製膜する方法、紙やプラスチックのラベルを貼る方法などから選択できる。【００１１】  短冊の枚数は飲料用コップの直径が６０ｍｍ〜８０ｍｍ程度の場合は６枚から８枚で、短冊の間の隙間は３ｍｍ以上、かつ、短冊幅の半分以下にする。これにより、飲料用コップの直径に応じて、短冊の幅が定まる。ただし、枚数と隙間幅はこれらに限定されるものではなく、直立回転時に観察される動画の質を考慮して増減できる。枚数が増えれば動きが滑らかになるが、同時に横並びに見える残像数が増加する。隙間幅が過小だと動画が暗くなり、隙間幅が過大だと飲料用コップ背景が動画の視認を妨げる。【００１２】  短冊の長さと高さ方向の位置は、飲料用コップの斜め上方からの視線が胴下部遮光面の内側の絵に向けられたとき、短冊によってさえぎられ、短冊間の隙間からは視認できればよいことから定める。【００１３】  本考案の飲料用コップを水平卓上で水を入れないで直立回転させると、残像効果によって短冊間の隙間から動画を見ることができるが、この場合には絵は拡大されない。【００１４】  本考案の飲料用コップを水平卓上で水を短冊上端の高さまで入れて直立回転させると、水の屈折率に起因する凸レンズ効果によって、絵が拡大され、また、視野角の縮小に伴い同時に横並びに見える残像の数を減らした状態で動画を見ることができる。【００１５】  一般に紙製回転アニメおもちゃにおいては、（絵の数）≠（短冊間の隙間の数）にすることによって、各絵と対向する隙間との位置関係をずらし、円筒回転時に観察される複数の絵が横方向に移動しながら、かつ動く残像効果を得ている。【００１６】  本考案でも（絵の数）≠（短冊間の隙間の数）にすることによって同様な効果を得られるが、水を短冊上端の高さまで入れて直立回転させる場合には、拡大効果と視野限定効果が表れるので、横並びに見える残像数が過大になることなく、絵の数を増やして残像の動きをより滑らかにすることができる。【００１７】〔構成２〕
また本考案は、胴部は透明軸対称形、底外面は軸対称凸曲面からなり、水平卓上に点接触で安定なすわりをする飲料用コップであって、胴部外周には等間隔で複数の短冊状遮光面を具え、各短冊遮光面の内側には独立した絵を有し、各絵は隣接する短冊遮光面の内側の絵から少しずつ異なり、対向する短冊状遮光面間の隙間から視認できることを特徴とする飲料用コップである。【００１８】  短冊状遮光面の目的はコップの外部から内部の絵に向かう視線を短冊間の隙間に限定し、かつ、飲料用コップを直立回転させたときに動画の要素となる内側の絵の背景色として機能して絵を視認し易くさせることであり、遮光面と絵の形成は、スクリーン印刷や転写で製膜する方法、紙やプラスチックのラベルを貼る方法などから選択できる。【００１９】  短冊の枚数と隙間については、上記の構成１と同様である。【００２０】  短冊の長さと高さ方向の位置は、内部の絵の位置によるが、飲料用コップの斜め上方、または横方向からの視線が内側の絵に向けられたとき、短冊によってさえぎられ、短冊間の隙間からは視認できればよいことから定める。【００２１】  構成２においては、（絵の数）＝（短冊間の隙間の数）であるから、飲料用コップを直立回転させたときに横並びに見える複数の残像それぞれが動画になり、複数の残像が横方向に移動することはない。例えば３人がそれぞれの位置で踊るような動画が可能である。水の凸レンズ効果は上記構成１と同様に得られる。【００２２】〔構成３〕
また本考案は、上記構成１または構成２のいずれかの飲料用コップにおいて、底外面は軸対称凸曲面からなるキャップを嵌合して構成される飲料用コップである。【００２３】  構成３はもともとの飲料用コップ底外面が平面の場合に、キャップを底に嵌合させて、全体として底外面は軸対称凸曲面からなり、水平卓上に点接触で安定なすわりをする飲料用コップとするためのものである。嵌合方法は飲料用コップが垂直に嵌まることができれば一般的なものでよく、嵌合時のキャップ内径が広がり易いように外周部にスリットを入れるなどで対応できる。キャップの材質は嵌合に適する弾性変形をするが、直立回転時に卓との接触部が大きな変形をしない硬度があればよく、ポリプロピレンのような汎用プラスチックの成形品を使用できる。
【考案の効果】
【００２４】  本考案の飲料用コップは水平卓上で安定なすわりをして、かつ、直立回転できるから、飲料用コップとしての実用性と安全性を失うことなく、直立回転させてコップ内の動画を楽しむことができる。また、水を入れた状態で直立回転させれば、動画は拡大される。
【考案を実施するための最良の形態】
【００２５】  飲料用コップはガラス製、硬質プラスチック製が望ましい。これらの材質によれば、透明な胴部に絵や遮光部の加工がし易く、また水平卓上での直立回転が滑らかにできる。【００２６】  飲料用コップの直立回転時に動画の要素になる胴下部外周帯状遮光面の内側の複数の絵、または、各短冊遮光面の内側の独立した絵は、単純な構成であって、薄くて明るい背景色に濃い色で目立つように描かれることが望ましい。飲料用コップの直立回転時に残像が得られ易く、動画として視認することができる。
【実施例１】
【００２７】  図１は本考案飲食用コップ実施例１の縦断面図である。透明ガラス製で胴部は円筒形、底外面は球面からなり、水平卓上に点接触で安定なすわりをする。図３は本考案飲食用コップ実施例１の斜視図である。胴中央部外周には等間隔で７枚の短冊状遮光面を具え、胴下部外周には帯状遮光面の内側に８個の顔の絵を有し、各絵は隣接する絵から少しずつ異なり、対向する複数短冊状遮光面間の隙間から視認できる。遮光面と絵はスクリーン印刷によって形成する。水平卓上で直立回転させると複数の顔が向きを変えながら横方向へ移動する動画が観察される。また水を入れて直立回転させると動画が拡大される。
【実施例２】
【００２８】  図４は本考案飲食用コップ実施例２の斜視図である。材料と縦断面は実施例１と同様である。胴中央部外周には等間隔で７枚の短冊状遮光面を具え、各短冊遮光面の内側には各１個の顔の絵を有し、各絵は隣接する短冊遮光面の内側の絵から少しずつ異なり、対向する複数短冊状遮光面間の隙間から視認できる。遮光面と絵はスクリーン印刷によって形成する。水平卓上で直立回転させると複数の顔がそれぞれその場で向きを変える動画が観察される。また水を入れて直立回転させると動画が拡大される。
【実施例３】
【００２９】  図２は本考案飲食用コップ実施例３の縦断面図である。斜視図と直立回転時の動画の効果は実施例１または実施例２と同様である。
【図面の簡単な説明】
【００３０】
【図１】実施例１の飲料用コップの縦断面図である。
【図２】実施例３の飲料用コップの縦断面図である。
【図３】実施例１の飲料用コップの斜視図である。
【図４】実施例２の飲料用コップの斜視図である。
【符号の説明】
【００３１】１  飲料用コップ
２  胴部
３  底外面
４  底外面とテーブルの点接触部
５  平面底を有するコップ
６  キャップ
７  短冊状遮光面
８  帯状遮光面
９  動画の要素になる絵
１０  短冊間の隙間
１１  水平卓面
【図１】
0003116185.tif 000003
【図２】
0003116185.tif 000004
【図３】
0003116185.tif 000005
【図４】
0003116185.tif 000006